(57)【要約】【課題】導電パターンの切り替え方向に対して平行な方向と、直角な方向の両方向に、ブラシの位置調整が可能な位置検出装置を備えた撮像レンズを提供する。【解決手段】撮像レンズ１００は、固定部材を構成する固定筒１３６に設けられた導電パターン１４３と、可動部材を構成する直進筒１３３に設けられたブラシ１４６とを含む位置検出装置を備える。固定筒１３６は、直進筒１３３が導電パターン１４３を走査する走査方向、及び、前記走査方向に対して直角な方向の両方向に関して、ブラシ１４６を固定筒１３６に取り付ける位置を調整することができるガイド部１６０を有する。ブラシ１４６は、ブラシ１４６をガイド部１６０に取り付けるための位置決め部１４７を有する。【選択図】図１
2007248854.tif 000002
【特許請求の範囲】
【請求項１】
可動部材及び固定部材を含む撮像レンズにおいて、前記固定部材に設けられた導電パターンと、前記可動部材に設けられたブラシとを含む位置検出装置を備え、前記固定部材は、前記可動部材が前記導電パターンを走査する走査方向、及び、前記走査方向に対して直角な方向の両方向に関して、前記ブラシを前記固定部材に取り付ける位置を調整することができるガイド部を有し、前記ブラシは、前記ブラシを前記ガイド部に取り付けるための位置決め部を有することを特徴とする撮像レンズ。
【請求項２】
前記ガイド部は、前記可動部材の移動方向に平行な複数の溝形状を含むように形成されることを特徴とする、請求項１に記載の撮像レンズ。
【請求項３】
前記ガイド部は、前記可動部材の回転中心軸線に直交する直線と平行な方向に配置された複数の溝形状を含むように形成されることを特徴とする、請求項１に記載の撮像レンズ。
【請求項４】
前記溝形状は、Ｖ溝形状、又は、鋸歯状溝形状に形成され、前記位置決め部は、前記ガイド部の前記溝形状に合うように形成された複数のボス形状、又は、複数の曲げ形状に形成されることを特徴とする、請求項２に記載の撮像レンズ。
【請求項５】
前記可動部材は、移動可能なレンズ支持部材に固定されることを特徴とする、請求項１に記載の撮像レンズ。
【請求項６】
前記可動部材は、回転可能な操作部材に固定されることを特徴とする、請求項１に記載の撮像レンズ。
【発明の詳細な説明】
【技術分野】
【０００１】
本発明は、操作部などの位置をする位置検出装置を備えた撮像レンズに関するものである。特に、本発明は、導電パターンの切り替え方向に対して平行な方向と、導電パターンの切り替え方向に対して直角な方向の両方向においてブラシの位置調整が可能な位置検出装置を備えた撮像レンズに関する。
【背景技術】
【０００２】
従来、導電パターンとブラシを用いる位置検出装置では、ブラシを導電パターン上に接地し、ブラシを導電パターンの切り替え方向に摺動させて、操作部の位置検出を行っている。ブラシを固定する方法として、粘着テープによりブラシをブラシ取り付け部に粘着固定する方法や、或いは、ブラシの開口穴部を貫通させたビスを締め付けてブラシをブラシ取り付け部に取り付ける方法などが知られている。導電パターンの切り替え精度を確保するため、ブラシ取り付け部にブラシを取り付ける位置は調整可能な構造としている。ブラシを調整する方向としては、導電パターンの切り替え方向に対して平行な方向と、導電パターンの切り替え方向に対して直角な方向とがある。ブラシ取り付けの調整方法として、粘着テープによりブラシをブラシ取り付け部に粘着固定する場合は、ブラシの位置を調整した後に、ブラシ取り付け部にブラシを固定している。また、ビスを用いてブラシをブラシ取り付け部に取り付ける場合は、ブラシの穴部を小判形状の長穴として、ブラシの位置を調整した後に、ビスを締め付けてブラシを固定している（例えば、下記特許文献１〜４参照）。
【０００３】
（特許文献のリスト）
【特許文献１】特開２００３−２０２４８９号公報
【特許文献２】特公平７−２７０９７号公報
【特許文献３】特開平２−１７０００２号公報
【特許文献４】特開平５−１８８２６３号公報
【発明の開示】
【発明が解決しようとする課題】
【０００４】
従来、導電パターンとブラシを用いる位置検出装置において、ブラシ取り付け時の調整は、導電パターンの切り替え方向に対して平行な方向と、導電パターンの切り替え方向に対して直角な方向とを同時に行っていなかった。もし、このような調整を同時に行うならば、ブラシを固定しない限り、ブラシの位置が定まらない為、ブラシ取り付け作業が著しく困難になるおそれがあった。また、ブラシの取り付け位置が、導電パターンの切り替え方向に対して斜めに取り付けられる可能性があり、導電パターンの切り替え精度が悪化するおそれがあった。
【０００５】
したがって、従来技術においては、導電パターンの切り替え方向に対して平行な方向と、導電パターンの切り替え方向に対して直角な方向のうちの一方の調整方向について、別途に位置決め手段を設けて固定しておき、他方の調整方向について、前記取り付け方法を用いて、ブラシを調整可能なようにしている。この従来技術の方法を実施する場合、導電パターンの切り替え精度を向上させる為、導電パターンの切り替え方向に対して平行な方向についてブラシの位置を調整可能なように設定し、導電パターンの切り替え方向に対して直角な方向については、位置決め手段を設けてブラシを固定することが必要となっていた。
【０００６】
このような従来技術では、下記の問題点が発生している。
（１）ブラシを固定する方向について、ブラシの位置を調整することができない。
（２）位置決め手段を設けてブラシを固定するので、ブラシを位置決めするための形状をブラシに設けることが別途必要になり、このようなブラシを位置決めするための形状には、その形状に相応する精度が要求される。
（３）ブラシを固定する方向について、ブラシの位置精度は、ブラシの部品の精度に依存する。ブラシの部品精度を上げると、ブラシの製造コストがアップし、したがって、部品コストがアップする。
（４）製品のダウンサイジングには位置検出装置の小型化が有効である。位置検出装置全体のサイズの小型化は、隣り合う導電パターンと、ブラシのピッチ間隔を狭めることによって可能であるが、ピッチ間隔を狭めると、正規導電パターン以外の導電パターンにブラシが接触し、正確な位置検出が行えなくなる不具合が懸念される。位置検出装置の小型化には、ブラシ位置、導電パターン位置の位置精度を十分高精度に確保することが必要になる。この位置精度の確保には、関連する各構成部品の形状精度を高めることが必要となり、各構成部品のコストアップにつながる。
【０００７】
本発明の目的は、導電パターンの切り替え方向に対して平行な方向と、導電パターンの切り替え方向に対して直角な方向の両方向において、ブラシの位置の簡易かつ迅速確実な調整が可能な位置検出装置を備えた撮像レンズを提供することにある。
また、本発明の他の目的は、小型であり、かつ、位置検出が可能な位置検出装置を備えた撮像レンズを提供することにある。
【課題を解決するための手段】
【０００８】
本発明は、可動部材及び固定部材を含む撮像レンズにおいて、前記固定部材に設けられた導電パターンと、前記可動部材に設けられたブラシとを含む位置検出装置を備え、前記固定部材は、前記可動部材が前記導電パターンを走査する走査方向、及び、前記走査方向に対して直角な方向の両方向に関して、前記ブラシを前記固定部材に取り付ける位置を調整することができるガイド部を有し、前記ブラシは、前記ブラシを前記ガイド部に取り付けるための位置決め部を有することを特徴とする。回転部材、直進部材などの可動部材が移動すると、ブラシは可動部材と一体になって移動し、移動するブラシが導電パターンに接触することによって可動部材の位置を検出することができる。回転部材の例として、フォーカスリングがあげられる。また、直進部材の例として、直進筒があげられる。この構成により、導電パターンの切り替え方向に対して平行な方向と、導電パターンの切り替え方向に対して直角な方向の両方向においてブラシの位置調整を行うことができる。
【０００９】
本発明の撮像レンズにおいて、前記ガイド部は、前記可動部材の移動方向に平行な複数の溝形状を含むように形成するのがよい。また、本発明の撮像レンズにおいて、前記ガイド部は、前記可動部材の回転中心軸線に直交する直線と平行な方向に配置された複数の溝形状を含むように形成することもできる。また、本発明の撮像レンズにおいて、前記溝形状は、Ｖ溝形状、又は、鋸歯状溝形状に形成され、前記位置決め部は、前記ガイド部の前記溝形状に合うように形成された複数のボス形状、又は、複数の曲げ形状に形成されるのが好ましい。前記可動部材の位置決め部である複数のボス形状、又は、複数の曲げ形状は、固定部材のガイド部である複数の溝形状のうちの適当な位置に調整して位置決めすることができる。この構成により、位置検出装置のサイズを小型化することができるので、製品のダウンサイジングが可能になる。
【００１０】
また、本発明の撮像レンズにおいて、前記可動部材は、移動可能なレンズ支持部材に固定されるように構成することができる。或いは、前記可動部材は、回転可能な操作部材に固定されるように構成することができる。この構成により、隣り合う導電パターンと、ブラシのピッチ間隔を狭めた場合、正規導電パターン上をブラシが摺動するようにブラシ位置を調整することにより、ズームリングやフォーカスリングなどの操作環の正確な位置検出を行うことが可能になる。
【発明の効果】
【００１１】
本発明の位置検出装置を備えた撮像レンズでは、導電パターンの切り替え方向に対して平行な方向と、導電パターンの切り替え方向に対して直角な方向の両方向においてブラシの位置調整を行うことが可能である。また、本発明の撮像レンズでは、ブラシを固定するための位置決め手段を設ける必要はない。また、本発明の撮像レンズでは、ブラシ位置が調整式である為、導電パターンとブラシ位置との間の位置精度の向上を図ることができる。さらに、位置検出装置の小型化のために、隣り合う導電パターンと、ブラシのピッチ間隔を狭めた場合、正規導電パターン上をブラシが摺動するようにブラシ位置を調整することにより、操作環の正確な位置検出を行うことが可能になる。また、本発明を適用することにより位置検出装置のサイズを小型化することができるので、製品のダウンサイジングが可能になる。
【発明を実施するための最良の形態】
【００１２】
以下に、本発明の実施の形態を図面に基づいて説明する。
（１）第１の実施の形態：
最初に、本発明の第１の実施の形態を説明する。図１を参照すると、４群ズームレンズとして構成された撮像レンズ１００は、レンズ系１１１〜１１４と、光軸１０２と、レンズ鏡筒１０４と、マウント部１０６を有する。図１は、焦点距離を短焦点側に設定した状態を示している。本発明はズームレンズだけでなく、単焦点レンズにも適用することができる。レンズ系は、第１群レンズ系１１１と、第２群レンズ系１１２と、第３群レンズ系１１３と、第４群レンズ系１１４とを含む。第１群レンズ系１１１は前群レンズ系を構成する。第４群レンズ系１１４は後群レンズ系を構成する。それぞれのレンズ系は、１枚又は複数枚のレンズを含む。
【００１３】
第１群レンズ系１１１は第１群レンズ枠１２１に固定される。第２群レンズ系１１２は第２群レンズ枠１２２に固定される。第３群レンズ系１１３は第３群レンズ枠１２３に固定される。第４群レンズ系１１４は、第４群レンズ枠１２４に固定される。第１群レンズ枠１２１、第２群レンズ枠１２２は、第３群レンズ枠１２３、第４群レンズ枠１２４は、光軸１０２に沿う方向に移動可能なようにレンズ鏡筒１０４に対して配置することができる。
【００１４】
第２群レンズ枠１２２は、第２群コマ（図示せず）によって保持されている。第４群レンズ枠１２４は、第４群コマ１４９によって保持されている。第１群レンズ枠１２１は、第１群コマ１２９によって保持されている。直進筒１３３は第２カム筒１３２の内側に配置される。固定筒１３６が第１カム筒１３４の外側に配置される。第１群レンズ枠１２１は第２カム筒１３２の外側に配置される。第１群レンズ枠１２１はレンズ鏡筒１０４の内側に配置される。各レンズ枠１２１〜１２４、直進筒１３３、第１カム筒１３４、第２カム筒１３２、固定筒１３６は、ポリカーボネートなどのエンジニアリングプラスチックで、光軸１０２を中心としてリング状に形成される。
【００１５】
ズームレンズの焦点距離を変えるためのズームリング１４０が、レンズ鏡筒１０４に対して回転可能なように設けられる。ズームリング１４０は、ズームレンズの焦点距離を変える操作を行うために回転する操作環を構成する。ズームリング１４０は光軸１０２を中心として回転するように構成される。ズームリング１４０を回転させると、ズーム連動板１４３を介して第１カム筒１３４がズームリング１４０と一体に回転する。第１カム筒１３４の回転により、第４群コマ１４９は固定筒１３６の直進溝に案内され、かつ、第１カム筒１３４のカム溝に係合する。第１カム筒１３４が回転すると、第４群コマ１４９は光軸１０２に平行な方向に移動し、直進筒１３３は光軸１０２にそった方向に直進移動するように構成される。ズームレンズの作動を制御するためのＩＣと、ズームレンズの仕様データを記憶したＲＯＭなどの電子部品を配置したメイン基盤１５０が、レンズ鏡筒１０４の内部でマウント部１０６の内側の位置に配置される。
【００１６】
図１から図３を参照すると、位置検出装置は、ズームエンコーダすなわちエンコーダ１４２と、ズームブラシすなわちブラシ１４６とを含むように構成される。固定筒１３６に対する直進筒１３３の位置を検出するためのエンコーダ１４２は、固定部材である固定筒１３６の外側面に配置される。複数の導電パターン１４３が、エンコーダ１４２の表側の平面上に直線状に設けられる。導電パターン１４３の走査方向は、光軸１０２と平行に配置するのがよい。エンコーダ１４２の出力端子部は導電ワイヤ１４４によってメイン基盤１５０の入力パターンに電気的に接続される。図３および図４を参照すると、エンコーダ１４２の走査方向において、エンコーダ１４２の複数の導電パターン１４３の中心位置に「Ｙ軸」を定義する。エンコーダ１４２の導電パターン１４３は、複数の端子部をもつ導電部材が導電パターン１４３上を走査することによって変化する導通状態に対応する種々の出力信号を出すことができるような形状に形成される。
【００１７】
図１から図３を参照すると、固定筒１３６に対する直進筒１３３の位置を検出するためのブラシ１４６は、直進筒１３３の内側に配置される。ズームリング１４０を回転させることによって直進筒１３３が直進移動すると、直進筒１３３とともにブラシ１４６が直進移動し、ブラシ１４６のブラシ端子部１４８がエンコーダ１４２の導電パターン１４３上を走査するように構成される。ブラシ１４６のブラシ端子部１４８がエンコーダ１４２の導電パターン１４３に接触することにより出力される検知出力信号は、導電ワイヤ１４４を介してメイン基盤１５０に伝達される。この構成により、エンコーダ１４２およびブラシ１４６を用いて、ズームリング１４０の回転操作による焦点距離の設定動作の位置検出を正確に行うことができる。
【００１８】
図３から図５を参照すると、一例として、エンコーダ１４２は、５列の導電パターン１４３ａ〜１４３ｅを有する。各導電パターン１４３ａ〜１４３ｅにおいて、接点パターンの幅は１．３ｍｍであり、接点パターン同士を接続する接続パターンの幅は０．２５ｍｍである。導電パターンの数と形状は、検出すべき直進筒１３３の直進移動量の検知仕様に合わせて設計することができる。ブラシ１４６は、ブラシベース部１４５と、５個のブラシ端子部１４８とを含む。ブラシ１４６は、リン青銅（例えば、Ｃ５２１０等）のような弾性変形可能な導電性の金属で形成することができる。ブラシ１４６は、下地にニッケルメッキを付け、ブラシ端子部１４８において、エンコーダ１４２の導電パターン１４３ａ〜１４３ｅと接触する部分は、金メッキを付けるのがよい。図３を参照すると、エンコーダ１４２の走査方向と直交する方向において、ブラシベース部１４５の中心位置に「Ｘ軸」を定義する。
【００１９】
一例として、ブラシ１４６は、５個のブラシ端子部１４８ａ〜１４８ｅを有する。ブラシ端子部１４８ａ〜１４８ｅは、それぞれＹ軸に平行に延びるように形成される。ブラシ端子部１４８の個数は、前述したエンコーダ１４２の導電パターン１４３の個数に対応している。ブラシ１４６の個数が５個である実施形態を説明したけれども、位置検出の精度に合わせ、かつ、エンコーダ１４２の導電パターン１４３の個数に対応させて、ブラシの個数は５個以下にすることもできるし、５個以上にすることもできる。ブラシ端子部１４８の相互のピッチは、エンコーダ１４２の導電パターン１４３の相互のピッチに対応している。ブラシ端子部１４８のＸ方向の幅は０．７ｍｍであり、Ｘ方向の幅の中間部に幅が０．１ｍｍ程度であるＹ方向のスリットを設けるのがよい。ブラシ端子部１４８の厚さは０．１ｍｍであるのがよい。
【００２０】
第１位置決め部１４７ａが、ブラシベース部１４５のＸ軸の正方向の縁部において、Ｙ軸に平行に延びるように形成される。第２位置決め部１４７ｂが、ブラシベース部１４５のＸ軸の負方向の縁部において、Ｙ軸に平行に延びるように形成される。第１位置決め部１４７ａ、第２位置決め部１４７ｂは、それぞれ曲げ高さが０．１５ｍｍになるように、ブラシベース部１４５の両側縁部を下方に曲げることによって形成することができる。第１位置決め部１４７ａと、第２位置決め部１４７ｂとの間の距離は、例えば８．４ｍｍであるように形成される。
【００２１】
図３、図６、図７を参照すると、ブラシ１４６を取り付けるためのガイド部１６０が直進筒１３３に設けられる。ガイド部１６０は、直進筒１３３と一体に形成してもよいし、或いは、直進筒１３３と別個に形成して、直進筒１３３に固定してもよい。ガイド部１６０は、可動部材である直進筒１３３の移動方向に平行な複数の溝形状を含むように形成される。調整ピッチが０．３ｍｍである２８個の溝１６２がガイド部１６０の上面に形成される。２８個の溝１６２は、幅８．４ｍｍの中に配置される。溝１６２は、深さが０．２５ｍｍであり、底角度が５０．１２度である鋸歯状溝形状に形成することができる。図６を参照すると、Ｘ軸の負方向（図６において右側）に配置された１４個の溝は、底部から右上方に向う斜面を有するように形成される。これに対して、Ｘ軸の正方向（図６において左側）に配置された１４個の溝は、底部から左上方に向う斜面を有するように形成される。
【００２２】
図７を参照すると、Ｘ軸の負方向（図６において右側）に配置された１４個の溝のうちの１つには、第２位置決め部１４７ｂが配置される。図示していないけれども、Ｘ軸の正方向（図６において左側）に配置された１４個の溝のうちの１つには、第１位置決め部１４７ａが配置される。溝１６２のＸ軸に平行な方向における断面形状は、鋸歯状溝形状に形成することができる。第１位置決め部１４７ａ、第２位置決め部１４７ｂの曲げ形状は、ガイド部１６０の溝形状に合うような突起形状を含むように形成するのがよい。溝１６２の調整ピッチ及び個数は、エンコーダ１４２の導電パターン１４３の仕様に合わせて設計することができる。第１位置決め部１４７ａ、第２位置決め部１４７ｂをガイド部１６０の溝１６２に位置決めした後、ブラシベース部１４５は、粘着テープ、接着剤などを用いてガイド部１６０に固定することができる。
【００２３】
本発明の構成では、第１位置決め部１４７ａ、第２位置決め部１４７ｂをＹ軸方向にガイド部１６０に対して摺動させて、第１位置決め部１４７ａ、第２位置決め部１４７ｂのＹ軸方向の位置を決めることができる。また、Ｘ軸方向について、第１位置決め部１４７ａ、第２位置決め部１４７ｂを配置するのに適切な溝をそれぞれ選択することによって、Ｘ軸方向の複数の位置についてブラシ１４６を適切に位置決めすることができる。すなわち、ガイド部１６０は、エンコーダ１４２の走査方向（Ｙ軸方向）、及び、エンコーダ１４２の走査方向に対して直角な方向（Ｘ軸方向）の両方向に関して、ブラシ１４６をガイド部１６０に取り付ける位置を簡易かつ迅速確実に調整することができるように構成されている。
【００２４】
したがって、本発明の構成により、導電パターン１４３の切り替え方向に対して平行な方向と、導電パターン１４３の切り替え方向に対して直角な方向の両方向においてブラシ１４６の位置調整を行うことが可能である。本発明の構成では、ブラシ１４６の位置を容易に調整することができるので、導電パターン１４３とブラシ１４６の位置との間の位置精度の向上を図ることができる。さらに、導電パターン１４３における隣り合う導電パターンと、ブラシ１４６のピッチ間隔を狭めた場合、正規導電パターン上をブラシが摺動するようにブラシ位置を調整することにより、操作環の正確な位置検出を行うことが可能になる。また、本発明の位置検出装置は、上記の構成を採用しているので小型に製造することができる。
【００２５】
（２）第２の実施の形態：
次に、本発明の第２の実施の形態を説明する。以下の説明は、本発明の第２の実施形態が本発明の第１の実施形態と異なる点を主に述べる。したがって、以下に記載がない個所は、前述した本発明の第１の実施形態についての説明をここに準用する。
【００２６】
図８から１２を参照すると、本発明の第２の実施の形態において、位置検出装置は、エンコーダ１４２と、ブラシ２４６を含むように構成される。図８および図９を参照すると、エンコーダ１４２の走査方向において、エンコーダ１４２の複数の導電パターン１４３の中心位置に「Ｙ軸」を定義する。ブラシ２４６は、ブラシベース部２４５と、５個のブラシ端子部２４８とを含む。エンコーダ１４２の走査方向と直交する方向において、ブラシベース部１４５の中心位置に「Ｘ軸」を定義する。本発明の一実施例として、ブラシ２４６は、５個のブラシ端子部２４８ａ〜２４８ｅを有する。
【００２７】
図８から図１２を参照すると、一例として、４個の位置決め部２４９ａ〜２４９ｄがブラシベース部２４５に設けられる。４個の位置決め部２４７ａ〜２４７ｄは、ポンチなどによって形成された突起形状であるボスで構成することもできるし、或いは、型などによって形成された突起形状である半抜きで構成することもできる。４個の位置決め部２４９ａ〜２４９ｄは、例えば、下方先端部の頂角が９０度であって、ブラシベース部２４５の下面からの突出量が０．１０９ｍｍであるように形成するのがよい。第１位置決め部２４７ａ、第２位置決め部２４７ｂは、ブラシベース部２４５において、Ｙ軸からＸ軸の正方向に２．２５ｍｍの距離にある直線上に形成される。第１位置決め部２４７ａと、第２位置決め部２４７ｂとの間の距離は２ｍｍである。第３位置決め部２４７ｃ、第４位置決め部２４７ｄは、ブラシベース部２４５において、Ｙ軸からＸ軸の負方向に２．２５ｍｍの距離にある直線上に形成される。第３位置決め部２４７ａと、第４位置決め部２４７ｂとの間の距離は２ｍｍである。第１位置決め部２４７ａと、第３位置決め部２４７ｃとの間の距離は４．５ｍｍである。第２位置決め部２４７ｂと、第４位置決め部２４７ｄとの間の距離は２ｍｍである。４個の位置決め部２４７ａ〜２４７ｄを含む構成について説明したけれども、位置決め部の個数は４個以下であってもよいし、４個以上であってもよい。
【００２８】
ブラシ２４６を取り付けるためのガイド部２６０が直進筒１３３に設けられる。ガイド部２６０は、可動部材である直進筒１３３の移動方向に平行な複数の溝形状を含むように形成される。調整ピッチが０．３ｍｍである２８個の溝２６２がガイド部２６０の上面に形成される。２８個の溝２６２は、幅８．４ｍｍの中に配置される。溝２６２は、深さが０．１５ｍｍであり、底角度が９０度であるＶ溝形状に形成することができる。
【００２９】
Ｘ軸の正方向に配置された１４個の溝のうちの１つには、第１位置決め部２４７ａと第２位置決め部２４７ｂとが配置される。Ｘ軸の負方向に配置された１４個の溝のうちの１つには、第３位置決め部２４７ａと、第４位置決め部２４７ｂとが配置される。溝２６２のＸ軸に平行な方向における断面形状は、Ｖ溝形状に形成することができる。４個の位置決め部２４７ａ〜２４７ｄの突起形状は、ガイド部２６０の溝形状に合うような突起形状を含むように形成するのがよい。溝２６２の調整ピッチ及び個数は、エンコーダ１４２の導電パターン１４３の仕様に合わせて設計することができる。４個の位置決め部２４７ａ〜２４７ｄをガイド部２６０の溝２６２に位置決めした後、ブラシベース部２４５は、粘着テープ、接着剤などを用いてガイド部２６０に固定することができる。
【００３０】
本発明の構成では、４個の位置決め部２４７ａ〜２４７ｄをＹ軸方向にガイド部２６０に対して摺動させて、４個の位置決め部２４７ａ〜２４７ｄのＹ軸方向の位置を決めることができる。また、Ｘ軸方向について、４個の位置決め部２４７ａ〜２４７ｄを配置するのに適切な溝をそれぞれ選択することによって、Ｘ軸方向の複数の位置についてブラシ２４６を適切に位置決めすることができる。したがって、本発明の構成により、導電パターン１４３の切り替え方向に対して平行な方向と、導電パターン１４３の切り替え方向に対して直角な方向の両方向においてブラシ２４６の位置調整を行うことが可能である。
【００３１】
（３）第３の実施の形態：
次に、本発明の第３の実施の形態を説明する。以下の説明は、本発明の第３の実施形態が本発明の第２の実施形態と異なる点を主に述べる。したがって、以下に記載がない個所は、前述した本発明の第１の実施形態についての説明、および、前述した本発明の第２の実施形態についての説明をここに準用する。なお、本発明の第３の実施形態には、前述した本発明の第１の実施形態の構造を適用することもできるし、また、前述した本発明の第２の実施形態の構造を適用することもできる。
【００３２】
図１３および図１４を参照すると、本発明の第３の実施の形態において、３群ズームレンズとして構成された撮像レンズ３００は、レンズ系３１１〜３１３と、光軸３０２と、レンズ鏡筒３０４と、マウント部３０６を有する。図１３は、焦点距離を短焦点側に設定した状態を示している。本発明はズームレンズだけでなく、単焦点レンズにも適用することができる。レンズ系は、第１群レンズ系３１１と、第２群レンズ系３１２と、第３群レンズ系３１３とを含む。第１群レンズ系３１１は前群レンズ系を構成する。第３群レンズ系３１３は後群レンズ系を構成する。それぞれのレンズ系は、１枚又は複数枚のレンズを含む。
【００３３】
第１群レンズ系３１１は第１群レンズ枠３２１に固定される。第２群レンズ系３１２は第２群レンズ枠３２２に固定される。第３群レンズ系３１３は第３群レンズ枠３２３に固定される。第１群レンズ枠３２１、第２群レンズ枠３２２は、第３群レンズ枠３２３は、光軸３０２に沿う方向に移動可能なようにレンズ鏡筒３０４に対して配置することができる。第２群レンズ枠３２２は、直進筒３３３に固定される。第３群レンズ枠３２３は、固定ビス３３９によって、カム筒３３４に固定される。直進筒３３３はカム筒３３４の外側に配置される。固定筒３３６がカム筒３３４の内側に配置される。第１群レンズ枠３２１はカム筒３３４の外側に配置される。第１群レンズ枠３２１はレンズ鏡筒３０４の内側に配置される。各レンズ枠３２１〜３２３、直進筒３３３、カム筒３３４、固定筒３３６は、ポリカーボネートなどのエンジニアリングプラスチックで、光軸３０２を中心としてリング状に形成される。
【００３４】
ズームリング３４０が、レンズ鏡筒３０４に対して回転可能なように設けられる。ズームリング３４０は光軸３０２を中心として回転するように構成される。中間鏡筒３３８がズームリング３４０の内側に配置される。ズームリング３４０を回転させると、カム筒３３４がズームリング３４０と一体に回転する。カム筒３３４の回転により、直進筒３３３は光軸１０２にそった方向に直進移動するように構成される。ズームレンズを合焦させる操作を行うためのフォーカスリング３４４が、レンズ鏡筒３０４に対して回転可能なように設けられる。フォーカスリング３４４は、ズームレンズを合焦させる操作を行うために回転する操作環を構成する。フォーカスリング３４４は光軸３０２を中心として回転するように構成される。フォーカスリング３４４を回転させると、フォーカスギヤ３４５の回転を介してフォーカスエンコーダすなわちエンコーダ３４２が光軸３０２を中心として回転するように構成される。
【００３５】
位置検出装置は、エンコーダ３４２と、フォーカスブラシすなわちブラシ３４６とを含むように構成される。固定筒３３６に対するフォーカスリング３４４の位置を検出するためのエンコーダ３４２は、固定部材である固定筒３３６の内側に配置される。複数の導電パターン３４３がエンコーダ３４２の表面に設けられる。導電パターン３４３は、光軸３０２を中心として円周上に配置されるのがよい。エンコーダ３４２の出力端子部（図示せず）は、導電ワイヤ（図示せず）によってメイン基盤３５０の入力パターンに電気的に接続される。
【００３６】
固定筒３３６に対するフォーカスリング３４４の回転方向における位置を検出するためのブラシ３４６は、固定筒３３６の内側に配置される。フォーカスリング３４４を回転させると、ブラシ３４６はフォーカスリング３４４と一体になって回転し、ブラシ３４６のブラシ端子部３４８がエンコーダ３４２の導電パターン３４３上を走査するように構成される。ブラシ３４６のブラシ端子部３４８がエンコーダ３４２の導電パターン３４３に接触することにより出力される検知出力信号は、導電ワイヤを介してメイン基盤３５０に伝達される。この構成により、エンコーダ３４２およびブラシ３４６を用いて、フォーカスリング３４４の回転方向の位置検出を行い、合焦動作を確認することができる。
【００３７】
ブラシ３４６は、ブラシベース部３４５と、５個のブラシ端子部３４８とを含む。エンコーダ１４２の走査方向と直交する方向において、ブラシ３４６は、５個のブラシ端子部３４８ａ〜３４８ｅを有する。４個の位置決め部３４７ａ〜３４７ｄがブラシベース部３４５に設けられる。ブラシ３４６を取り付けるためのガイド部３６０がフォーカスリング３４４に設けられる。ガイド部３６０は、フォーカスリング３４４と一体に形成してもよいし、或いは、フォーカスリング３４４と別個に形成して、フォーカスリング３４４に固定してもよい。ガイド部３６０は、可動部材であるフォーカスリング３４４の回転中心軸線に直交する直線と平行な方向の複数の溝形状を含むように形成される。４個の位置決め部３４７ａ〜３４７ｄをガイド部３６０の溝３６２に位置決めした後、ブラシベース部３４５は、粘着テープ、接着剤などを用いてガイド部３６０に固定することができる。
【産業上の利用可能性】
【００３８】
本発明により、導電パターンの切り替え方向に対して平行な方向と、導電パターンの切り替え方向に対して直角な方向の両方向においてブラシの位置調整を簡易かつ迅速確実に行うことが可能な位置検出装置を備えた撮像レンズを製造することができる。本発明の撮像レンズでは、導電パターンとブラシ位置との間の位置精度の向上を図ることができ、また、操作環の正確な位置検出を行うことが可能になる。また、本発明により、製品のダウンサイジングが可能になる。
【図面の簡単な説明】
【００３９】
【図１】本発明の第１の実施形態において、撮像レンズの構造を示す断面図である。
【図２】本発明の第１の実施形態において、位置検出装置の実装部を示す斜視図である。
【図３】本発明の第１の実施形態において、位置検出装置の実装部の構成を示す分解斜視図である。
【図４】本発明の第１の実施形態において、位置検出装置の実装部の要部を示す図であり、図４（ａ）は実装部の要部上面図であり、図４（ｂ）は実装部の要部側面図である。
【図５】本発明の第１の実施形態において、導電パターンとブラシの位置関係を示す正面図である。
【図６】本発明の第１の実施形態において、導電パターンとブラシの調整部分の形状を示す部分断面図である。
【図７】本発明の第１の実施形態において、図６における「Ｋ」部の詳細を示す拡大部分断面図である。
【図８】本発明の第２の実施形態において、位置検出装置の実装部の構成を示す分解斜視図である。
【図９】本発明の第２の実施形態において、位置検出装置の実装部の要部を示す図であり、図９（ａ）は実装部の要部上面図であり、図９（ｂ）は実装部の要部側面図である。
【図１０】本発明の第２の実施形態において、導電パターンとブラシの位置関係を示す正面図である。
【図１１】本発明の第２の実施形態において、導電パターンとブラシの調整部分の形状を示す部分断面図である。
【図１２】本発明の第２の実施形態において、図１０における「Ｌ」部と、図１１における「Ｍ」部の詳細を示す拡大部分断面図である。
【図１３】本発明の第３の実施形態において、撮像レンズの構造を示す断面図である。
【図１４】本発明の第３の実施形態において、位置検出装置の実装部を示す斜視図である。
【符号の説明】
【００４０】
１００  撮像レンズ
１０２  光軸
１０４  レンズ鏡筒
１１１  第１群レンズ系
１１２  第２群レンズ系
１１３  第３群レンズ系
１１４  第４群レンズ系
１３３  直進筒
１３６  固定筒
１４０  ズームリング
１４２  エンコーダ
１４３  導電パターン
１４５  ブラシベース部
１４６  ブラシ
１４７  位置決め部
１４８  ブラシ端子部
１６０  ガイド部
【図１】
2007248854.tif 000003
【図２】
2007248854.tif 000004
【図３】
2007248854.tif 000005
【図４】
2007248854.tif 000006
【図５】
2007248854.tif 000007
【図６】
2007248854.tif 000008
【図７】
2007248854.tif 000009
【図８】
2007248854.tif 000010
【図９】
2007248854.tif 000011
【図１０】
2007248854.tif 000012
【図１１】
2007248854.tif 000013
【図１２】
2007248854.tif 000014
【図１３】
2007248854.tif 000015
【図１４】
2007248854.tif 000016